【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
潤滑粘度の油と、ｐ−ドデシルフェノールフリー清浄剤と、オキシアルキル化ヒドロカルビルフェノールとを含む潤滑組成物であって、前記オキシアルキル化ヒドロカルビルフェノールは、１から２５０個の炭素原子（または２０から２２０、または３０から１５０個の炭素原子）の少なくとも１つの脂肪族ヒドロカルビル基で置換されており、前記オキシアルキル化ヒドロカルビルフェノールは、芳香族ヒドロカルビル基を実質的に含まない、潤滑組成物。
【請求項２】
前記オキシアルキル化ヒドロカルビルフェノールのオキシアルキル化基が、式−（Ｒ１Ｏ）ｎ−［式中、Ｒ１は、エチレン、プロピレン、ブチレン基、またはそれらの混合物であり、ｎは、独立に、１から５０まで、または１から２０までである］を有する、請求項１に記載の組成物。
【請求項３】
前記オキシアルキル化ヒドロカルビルフェノールが、式
【化８】
2017536463.tif 000001
［式中、各Ｒ２は、独立に、水素、または１から６個の炭素原子のヒドロカルビル基であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
各Ｒ４は、独立に、１から２５０個の炭素原子のヒドロカルビル基であり（典型的には、少なくとも１つのＲ４は、２０から２２０、または３０から１５０、３５から１４０、または４０から９６個の炭素原子を含有する）、
ｎ＝１から２０であり、ｍ＝１から３である］
によって表される、請求項１に記載の組成物。
【請求項４】
前記オキシアルキル化ヒドロカルビルフェノールが、式
【化９】
2017536463.tif 000002
［式中、１つのＲ２は、メチルであり、第２のＲ２は、水素であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
各Ｒ４は、独立に、２０から２２０、または３０から１５０、３５から１４０、または４０から９６個の炭素原子のヒドロカルビル基であり、
ｎ＝１から２０であり、ｍ＝１である］
によって表される、請求項１に記載の組成物。
【請求項５】
前記オキシアルキル化ヒドロカルビルフェノールが、式
【化１０】
2017536463.tif 000003
［式中、１つのＲ２は、メチルであり、第２のＲ２は、水素であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
Ｒ４は、２０から２２０、または３０から１５０、３５から１４０、または４０から９６個の炭素原子を含有するポリアルキル（アルケニル）基であり、
ｎ＝１から８であり、ｍ＝１である］
によって表される、請求項１に記載の組成物。
【請求項６】
前記オキシアルキル化ヒドロカルビルフェノールが、式
【化１１】
2017536463.tif 000004
［式中、１つのＲ２は、メチルであり、第２のＲ２は、水素であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
Ｒ４は、２０から２２０、または３０から１５０、３５から１４０、または４０から９６個の炭素原子を含有するポリイソブテニル基であり、
ｎ＝１から８（または３から５）であり、ｍ＝１である］
によって表される、請求項１に記載の組成物。
【請求項７】
前記オキシアルキル化ヒドロカルビルフェノールが、前記潤滑組成物の０．０１ｗｔ％〜５ｗｔ％、または０．０５〜３ｗｔ％、または０．１〜１．５ｗｔ％の範囲の量で存在する、請求項１に記載の組成物。
【請求項８】
前記ｐ−ドデシルフェノールフリー清浄剤が、前記潤滑組成物の３ｗｔ％〜８ｗｔ％または３ｗｔ％〜５ｗｔ％で存在し、オキシアルキル化ヒドロカルビルフェノールが、０．１〜５ｗｔ％で存在する、請求項１に記載の組成物。
【請求項９】
前記ｐ−ドデシルフェノールフリー清浄剤が、前記潤滑組成物の０．１５ｗｔ％〜３ｗｔ％未満、または０．２〜１ｗｔ％で存在し、オキシアルキル化ヒドロカルビルフェノールが、０．１〜５ｗｔ％で存在する、請求項１に記載の組成物。
【請求項１０】
前記ｐ−ドデシルフェノールフリー清浄剤が、テトラプロペニルフェノールのアルキル基を有するアルキルフェノールに由来するフェネートまたはサリチレート清浄剤を含まない、請求項１に記載の組成物。
【請求項１１】
前記潤滑組成物が、（ｉ）０．５ｗｔ％またはそれ未満の硫黄含有量、（ｉｉ）０．１ｗｔ％またはそれ未満のリン含有量、および（ｉｉｉ）０．５ｗｔ％〜１．５ｗｔ％またはそれ未満の硫酸灰分含有量を有するものとして特徴付けられる、請求項１に記載の組成物。
【請求項１２】
前記潤滑組成物が、少なくとも５ｍｇＫＯＨ／ｇの全塩基価（ＴＢＮ）含有量を有するものとして特徴付けられる、請求項１に記載の組成物。
【請求項１３】
内燃機関を潤滑する方法であって、前記内燃機関に、先行する請求項１から１２のいずれかに記載の潤滑組成物を供給するステップを含む、方法。
【請求項１４】
（ｉ）燃費の制御、（ｉｉ）腐食の制御、（ｉｉｉ）清潔さおよび（ｉｖ）ボアの摩耗の制御の少なくとも１つを提供するための、ディーゼル乗用車内燃機関を潤滑するための先行する請求項１から１２のいずれかに記載の潤滑組成物におけるｐ−ドデシルフェノールフリー清浄剤およびオキシアルキル化ヒドロカルビルフェノールの使用であって、前記オキシアルキル化ヒドロカルビルフェノールは、１から２５０個の炭素原子（または２０から２２０、または３０から１５０個の炭素原子）の少なくとも１つの脂肪族ヒドロカルビル基で置換されており、前記オキシアルキル化ヒドロカルビルフェノールは、芳香族ヒドロカルビル基を実質的に含まない、使用。
【手続補正２】
【補正対象書類名】明細書
【補正対象項目名】０１２６
【補正方法】変更
【補正の内容】
【０１２６】
本発明をその好ましい実施形態に関して記載してきたが、当業者には、本明細書を読めば、その種々の修正が明らかとなることを理解されたい。したがって、本明細書において開示されている発明は、添付の請求項の範囲内に入るような修正を網羅することが意図されていることを理解されたい。
一実施形態において、例えば、以下の項目が提供される。
（項目１）
潤滑粘度の油と、ｐ−ドデシルフェノールフリー清浄剤と、オキシアルキル化ヒドロカルビルフェノールとを含む潤滑組成物であって、前記オキシアルキル化ヒドロカルビルフェノールは、１から２５０個の炭素原子（または２０から２２０、または３０から１５０個の炭素原子）の少なくとも１つの脂肪族ヒドロカルビル基で置換されており、前記オキシアルキル化ヒドロカルビルフェノールは、芳香族ヒドロカルビル基を実質的に含まない、潤滑組成物。
（項目２）
前記オキシアルキル化ヒドロカルビルフェノールのオキシアルキル化基が、式−（Ｒ１Ｏ）ｎ−［式中、Ｒ１は、エチレン、プロピレン、ブチレン基、またはそれらの混合物であり、ｎは、独立に、１から５０まで、または１から２０までである］を有する、項目１に記載の組成物。
（項目３）
前記オキシアルキル化ヒドロカルビルフェノールが、式
【化８】
2017536463.tif 000005
［式中、各Ｒ２は、独立に、水素、または１から６個の炭素原子のヒドロカルビル基であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
各Ｒ４は、独立に、１から２５０個の炭素原子のヒドロカルビル基であり（典型的には、少なくとも１つのＲ４は、２０から２２０、または３０から１５０、３５から１４０、または４０から９６個の炭素原子を含有する）、
ｎ＝１から２０であり、ｍ＝１から３である］
によって表される、項目１に記載の組成物。
（項目４）
前記オキシアルキル化ヒドロカルビルフェノールが、式
【化９】
2017536463.tif 000006
［式中、１つのＲ２は、メチルであり、第２のＲ２は、水素であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
各Ｒ４は、独立に、２０から２２０、または３０から１５０、３５から１４０、または４０から９６個の炭素原子のヒドロカルビル基であり、
ｎ＝１から２０であり、ｍ＝１である］
によって表される、項目１に記載の組成物。
（項目５）
前記オキシアルキル化ヒドロカルビルフェノールが、式
【化１０】
2017536463.tif 000007
［式中、１つのＲ２は、メチルであり、第２のＲ２は、水素であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
Ｒ４は、２０から２２０、または３０から１５０、３５から１４０、または４０から９６個の炭素原子を含有するポリアルキル（アルケニル）基であり、
ｎ＝１から８であり、ｍ＝１である］
によって表される、項目１に記載の組成物。
（項目６）
前記オキシアルキル化ヒドロカルビルフェノールが、式
【化１１】
2017536463.tif 000008
［式中、１つのＲ２は、メチルであり、第２のＲ２は、水素であり、
Ｒ３は、水素、１から２４個の炭素原子のヒドロカルビル基、または−Ｃ（＝Ｏ）Ｒ５によって表されるアシル基であり、
Ｒ５は、１から２４個の炭素原子のヒドロカルビル基であり、
Ｒ４は、２０から２２０、または３０から１５０、３５から１４０、または４０から９６個の炭素原子を含有するポリイソブテニル基であり、
ｎ＝１から８（または３から５）であり、ｍ＝１である］
によって表される、項目１に記載の組成物。
（項目７）
Ｒ４基が、前記オキシアルキル化基に対してパラ位に位置し、結果として生じる式が、構造
【化１２】
2017536463.tif 000009
［式中、変数Ｒ２からＲ５、ｎおよびｍは、先に定義されている］
によって表される、先行する項目３から６のいずれかに記載の組成物。
（項目８）
Ｒ４が、ポリイソブテニル基であり、結果として生じる式が、構造
【化１３】
2017536463.tif 000010
［式中、変数Ｒ２からＲ５、ｎおよびｍは、先に定義されている］
によって表される、項目７に記載の組成物。
（項目９）
前記オキシアルキル化ヒドロカルビルフェノールが、前記潤滑組成物の０．０１ｗｔ％〜５ｗｔ％、または０．０５〜３ｗｔ％、または０．１〜１．５ｗｔ％の範囲の量で存在する、先行する項目のいずれかに記載の組成物。
（項目１０）
前記ｐ−ドデシルフェノールフリー清浄剤が、前記潤滑組成物の３ｗｔ％〜８ｗｔまたは３ｗｔ％〜５ｗｔ％で存在し、オキシアルキル化ヒドロカルビルフェノールが、０．１〜５ｗｔ％で存在する、先行する項目のいずれかに記載の組成物。
（項目１１）
前記ｐ−ドデシルフェノールフリー清浄剤が、前記潤滑組成物の０．１５ｗｔ％〜３ｗｔ％未満、または０．２〜１ｗｔ％で存在し、オキシアルキル化ヒドロカルビルフェノールが、０．１〜５ｗｔ％で存在する、先行する項目のいずれかに記載の組成物。
（項目１２）
前記ｐ−ドデシルフェノールフリー清浄剤は、スルホネート清浄剤を含むか、あるいは、ｐ−ドデシルフェノール以外のｐ−ヒドロカルビルフェノールに由来するサリチレートもしくはフェネート清浄剤、またはｐ−ドデシルフェノール以外のｐ−ドデシルフェノールフェノールに由来するフェネート清浄剤から選択される。
（項目１３）
前記フェネートが、過塩基性であり、１８０から４５０ＴＢＮの全塩基価を有し、前記フェネートが、硫黄カップリングフェネート、アルキレンカップリングフェネート、またはそれらの混合物を含む、項目１２に記載の組成物。
（項目１４）
前記ｐ−ドデシルフェノールフリー清浄剤が、テトラプロペニルフェノールのアルキル基を有するアルキルフェノールに由来するフェネートまたはサリチレート清浄剤を含まない、先行する項目のいずれかに記載の組成物。
（項目１５）
前記潤滑組成物が、（ｉ）０．５ｗｔ％またはそれ未満の硫黄含有量、（ｉｉ）０．１ｗｔ％またはそれ未満のリン含有量、および（ｉｉｉ）０．５ｗｔ％〜１．５ｗｔ％またはそれ未満の硫酸灰分含有量を有するものとして特徴付けられる、先行する項目のいずれかに記載の組成物。
（項目１６）
前記潤滑組成物が、（ｉ）０．２ｗｔ％〜０．４ｗｔ％またはそれ未満の硫黄含有量、（ｉｉ）０．０８ｗｔ％〜０．１５ｗｔ％のリン含有量、および（ｉｉｉ）０．５ｗｔ％〜１．５ｗｔ％またはそれ未満の硫酸灰分含有量の少なくとも１つを有するものとして特徴付けられる、先行する項目のいずれかに記載の組成物。
（項目１７）
前記潤滑組成物が、０．５ｗｔ％〜１．２ｗｔ％の硫酸灰分含有量を有するものとして特徴付けられる、先行する項目のいずれかに記載の組成物。
（項目１８）
前記潤滑組成物が、少なくとも５ｍｇＫＯＨ／ｇの全塩基価（ＴＢＮ）含有量を有するものとして特徴付けられる、先行する項目のいずれかに記載の組成物。
（項目１９）
前記潤滑組成物が、５から１０ｍｇＫＯＨ／ｇの全塩基価（ＴＢＮ）含有量を有するものとして特徴付けられる、先行する項目のいずれかに記載の組成物。
（項目２０）
内燃機関を潤滑する方法であって、前記内燃機関に、先行する項目１から１９のいずれかに記載の潤滑組成物を供給するステップを含む、方法。
（項目２１）
前記内燃機関が、シリンダーボア、シリンダーブロックまたはピストンリング上に鋼表面を有する、項目２０に記載の方法。
（項目２２）
前記内燃機関が、ヘビーデューティーディーゼル内燃機関である、先行する方法の項目２０から２１のいずれかに記載の方法。
（項目２３）
前記ヘビーデューティーディーゼル内燃機関が、３，５００ｋｇを上回る技術的許容最大荷重を有し、前記機関が、圧縮点火エンジンまたは火花点火天然ガス（ＮＧ）もしくはＬＰＧエンジンである、先行する方法の項目２０から２２のいずれかに記載の方法。
（項目２４）
前記内燃機関が、乗用車内燃機関（典型的にはガソリンまたはディーゼル乗用車内燃機関）である、先行する方法の項目２０から２１のいずれかに記載の方法。
（項目２５）
前記乗用車内燃機関が、２６１０ｋｇを超えない基準質量を有する、項目２４に記載の方法。
（項目２６）
前記内燃機関がガソリンエンジンであり、前記潤滑組成物が、潤滑粘度の油と、オキシアルキル化ヒドロカルビルフェノールとを含み、
前記オキシアルキル化ヒドロカルビルフェノールは、１から２５０個の炭素原子（または２０から２２０、または３０から１５０個の炭素原子）の少なくとも１つの脂肪族ヒドロカルビル基で置換されており、前記オキシアルキル化ヒドロカルビルフェノールは、芳香族ヒドロカルビル基を実質的に含まず、
前記オキシアルキル化ヒドロカルビルフェノールの前記オキシアルキル化基は、式−（Ｒ１Ｏ）ｎ−［式中、Ｒ１は、エチレン、プロピレン、ブチレン基、またはそれらの混合物であり、但し、Ｒ１がエチレン基を含む場合には、結果として生じるオキシアルキル化ヒドロカルビルフェノールは、エチレングリコールおよび（ｉ）プロピレングリコールまたは（ｉｉ）ブチレングリコールのいずれかに由来するランダムまたはブロックコポリマーであることを条件とし、ｎは、独立に、１から５０まで、または１から２０までである］を有する、先行する方法の項目２０、２１または２４のいずれかに記載の方法。
（項目２７）
４ストローク圧縮点火エンジンまたは火花点火天然ガス（ＮＧ）もしくはＬＰＧエンジンにおいてすす形成を制御する方法であって、前記エンジンに、潤滑組成物の項目１から１９のいずれかに記載の潤滑組成物を供給するステップを含む、方法。
（項目２８）
（ｉ）燃費の制御、（ｉｉ）腐食の制御、（ｉｉｉ）清潔さおよび（ｉｖ）ボアの摩耗の制御の少なくとも１つを提供するための、ディーゼル乗用車内燃機関を潤滑するための先行する項目１から１９のいずれかに記載の潤滑組成物におけるｐ−ドデシルフェノールフリー清浄剤およびオキシアルキル化ヒドロカルビルフェノールの使用であって、前記オキシアルキル化ヒドロカルビルフェノールは、１から２５０個の炭素原子（または２０から２２０、または３０から１５０個の炭素原子）の少なくとも１つの脂肪族ヒドロカルビル基で置換されており、前記オキシアルキル化ヒドロカルビルフェノールは、芳香族ヒドロカルビル基を実質的に含まない、使用。
（項目２９）
すす堆積物形成を制御するための、ディーゼル乗用車内燃機関を潤滑するための先行する項目１から１９のいずれかに記載の潤滑組成物におけるｐ−ドデシルフェノールフリー清浄剤およびオキシアルキル化ヒドロカルビルフェノールの使用であって、前記オキシアルキル化ヒドロカルビルフェノールは、１から２５０個の炭素原子（または２０から２２０、または３０から１５０個の炭素原子）の少なくとも１つの脂肪族ヒドロカルビル基で置換されており、前記オキシアルキル化ヒドロカルビルフェノールは、芳香族ヒドロカルビル基を実質的に含まない、使用。
（項目３０）
前記内燃機関が、４ストロークエンジンであり、前記エンジンが、圧縮点火エンジンまたは火花点火天然ガス（ＮＧ）もしくはＬＰＧエンジンである、項目２９に記載の使用。